(57)【要約】【課題】外部機器用操作パネル映像を、外部機器側から映像入力されるグラフィック表示と重ならないように表示する。【解決手段】この発明の一実施の形態では、外部機器（ＨＤＤレコーダ等のソース機器）の動作状況あるいは操作状況に対応する状況映像（１４４、１４６）を含む映像情報を外部機器から受信する。そして、受信した映像情報が表示される表示領域（１４０）うち状況映像（１４４、１４６）が存在し得る特定映像領域（例えば表示領域の上下１０〜３０％）を避けた領域に、外部機器を操作する操作パネル映像（１４２）を配置する。【選択図】    図６
2010057023.tif 000002
【特許請求の範囲】
【請求項１】
所定の規格に対応する外部機器と接続する接続手段と、
前記接続手段を介して接続された前記外部機器から、前記外部機器の動作状況あるいは操作状況に対応する状況映像を含む映像情報を受信する外部機器映像受信手段と、
前記外部機器の操作に利用する操作パネル映像を生成する生成手段と、
前記操作パネル映像を用いた機器操作指令を受ける機器操作指令受信手段と、
前記外部機器から受信した前記映像情報が表示される表示領域のうち前記状況映像が存在し得る特定映像領域を避けた領域に、前記操作パネル映像を配置する操作パネル映像配置手段と、
前記操作パネル映像を用いた機器操作指令を、前記所定の規格に基づく操作制御情報として、前記接続手段を介して接続された前記外部機器に送出する操作情報送出手段を具備した映像装置。
【請求項２】
前記表示領域は特定のアスペクト比を持つ矩形領域であり、この矩形領域の上下方向のサイズを１００％としたとき、この矩形領域の上から１００％未満の第１所定％の上側特定領域および、この矩形領域の下から１００％未満の第２所定％の下側特定領域を避けた中央領域に、前記操作パネル映像が表示されるように構成された請求項１に記載の装置。
【請求項３】
前記外部機器から受信した前記映像情報に含まれる前記状況映像の位置を検出する状況映像位置検出手段を更に備え、
前記状況映像位置検出手段により検出された前記状況映像の位置を避けた前記表示領域に、前記操作パネル映像が表示されるように構成された請求項１に記載の装置。
【請求項４】
前記機器操作指令受信手段は前記機器操作指令をリモートコントローラから受け取るように構成され、
前記表示領域における前記操作パネル映像は前記リモートコントローラのキー操作により表示・非表示が切り替え可能に構成され、
表示された前記操作パネル映像には機器操作マークが含まれ、この機器操作マークに対応する前記リモートコントローラのキー操作により、前記操作パネル映像に関連した機器操作メニューが前記表示領域に表示可能に構成された請求項１に記載の装置。
【請求項５】
前記表示領域における前記操作パネル映像の表示位置が、前記状況映像を避けた位置へ移動可能に構成された請求項１に記載の装置。
【請求項６】
前記所定の規格はＨＤＭＩに基づく規格であり、前記外部機器映像受信手段および前記操作情報送出手段がＨＤＭＩインターフェースを含む請求項１に記載の装置。
【請求項７】
テレビ放送を受信するチューナと、
前記チューナで受信されたテレビ放送映像および／または前記外部機器から受信した前記映像情報と、前記外部機器の操作に利用する操作パネル映像を、同時に表示する表示部を更に具備する請求項１ないし請求項６のいずれか１項に記載の装置。
【請求項８】
外部機器の動作状況あるいは操作状況に対応する状況映像を含む映像情報を外部機器から受信し、
受信した前記映像情報が表示される表示領域のうち前記状況映像が存在し得る特定映像領域を避けた領域に、前記外部機器の操作に利用する操作パネル映像を配置し、
前記操作パネル映像を用いた機器操作を、所定の規格に基づく操作制御情報として、前記外部機器に送出する機器制御方法。
【発明の詳細な説明】
【技術分野】
【０００１】
この発明は、外部機器に対する操作パネル映像を表示する映像装置および、表示された操作パネル映像を用いる機器制御方法に関する。
【背景技術】
【０００２】
近年テレビジョン放送のデジタル化が推進されている。日本国内では、ＢＳ（Broadcasting Satellite）デジタル放送及び１１０度ＣＳ（Communication Satellite）デジタル放送等の衛星デジタル放送だけでなく、地上デジタル放送も開始されている。これらを受信するデジタルテレビジョン受像機（デジタルＴＶあるいは単にＴＶと略記）には、ＰＣ（Personal Computer）、モバイル機器、ＡＶ機器等の外部機器がネットワーク接続可能なものがある。これらのデジタルＴＶには、通常、ＨＤＭＩ（High Definition Multimedia Interface）端子が設けられており、ＨＤＭＩ端子を介して外部機器と適宜接続できるようになっている。
【０００３】
ＨＤＭＩ規格の伝送ラインには、ＣＥＣ(Consumer Electronics Control)ラインと称される、双方向に制御データの伝送が可能なラインが、映像データの伝送ラインとは別に用意されている。ＨＤＭＩ規格の伝送ラインを介して相互接続されたソース機器（情報の送り手）とシンク機器（情報の受け手）との間での制御には、ＣＥＣを用いることができる。このＣＥＣラインを使って相手の機器を制御することができる。
【０００４】
ＨＤＭＩ端子を介してデジタルＴＶ（シンク機器）に接続される外部機器（ソース機器）には、ＣＥＣ対応のものがある。デジタルＴＶにＨＤＭＩ端子を介して接続されたＣＥＣ対応の外部機器は、デジタルＴＶに表示された操作パネル映像（ソフトウエア操作パネル）を介して、ユーザがリモートコントローラ操作できる。ＨＤＭＩ−ＣＥＣについては、特許文献１に開示がある。また、テレビ映像上に操作パネルを表示することについては、特許文献２に開示がある。
【特許文献１】特開２００８−４８１３６号公報
【特許文献２】特開２００６−４２０６２号公報
【発明の開示】
【発明が解決しようとする課題】
【０００５】
ＨＤＭＩ端子を介してデジタルＴＶ（シンク機器）に接続されるＣＥＣ対応の外部機器（ソース機器）として、例えばＨＤＤ（Hard Disk Drive）レコーダあるいはＤＶＤ−ＶＲなどの光ディスクレコーダがある。ＴＶにＨＤＭＩ−ＣＥＣでレコーダが接続されている場合、ＴＶからレコーダを直接操作することができる。その際は、ＴＶの表示画面上にレコーダを操作するための操作パネルをＯＳＤ（On-Screen Display）表示する。ユーザは、表示された操作パネルを見ながら、ＴＶのリモートコントローラを用いてレコーダを操作することが一般的な操作方法である。そして、本願発明がなされる以前では、この操作パネルを表示画面の隅（右隅、左隅など）に適当に配置していた。
【０００６】
しかし、レコーダ（ソース機器）側ではメニューバー／再生バー／タイトルバーなどＵＩ（User Interface）のグラフィック表示をコンテンツ再生画面に重畳してＴＶ（シンク機器）側に映像出力してくる。ＴＶ側ではレコーダ側から送られてくる映像の中身を加工することができない。そのため、ＴＶでレコーダ用の操作パネルを画面隅に表示した場合には、その操作パネル映像がレコーダ側のＵＩグラフィック表示と重なる可能性があった。その場合、レコーダ側から送られてくるＵＩグラフィック表示の一部がユーザに見えなくなる不都合が生じる。
【０００７】
ＴＶ（シンク機器）とレコーダ（ソース機器）が同一メーカであれば、上記不都合が出ないようにレコーダ側のグラフィック表示の位置を調整することができる。しかし、シンク機器とソース機器のメーカが異なると、シンク機器側のメーカは自社のシンク機器（ＴＶ）設計時点で不特定多数の他社ソース機器（レコーダ）の設計仕様を把握できない。そのため、ＴＶ側で表示したレコーダ用操作パネルが、レコーダ側から映像入力されるグラフィック表示と重なってしまい、レコーダ側から映像入力されるグラフィック表示の一部が見えなくなってしまう可能性を払拭できない。この問題は、上記表示の重なりが出ないような配慮をせずに設計がなされた機器が存在する場合は、シンク機器とソース機器のメーカが同じであっても起こり得る。
【０００８】
この発明の課題の１つは、ソース機器（外部機器）用操作パネル映像を、ソース機器側から映像入力されるグラフィック表示と重ならないように表示することである。
【課題を解決するための手段】
【０００９】
この発明の一実施の形態では、外部機器（ＨＤＤレコーダ等のソース機器）の動作状況あるいは操作状況に対応する状況映像（ニューバー等のＵＩグラフィック表示）を含む映像情報（メニューバー等はビデオ映像の一部になっている）を前記外部機器から受信する。そして、受信した前記映像情報が表示される表示領域うち前記状況映像が存在し得る特定映像領域（例えば表示領域の上下１０〜３０％）を避けた領域に、前記外部機器の操作に利用する操作パネル映像（ＯＳＤ）を配置する。
【発明の効果】
【００１０】
外部機器用操作パネルの表示が外部機器側から映像入力されるグラフィック表示と重なることを回避できる。
【発明を実施するための最良の形態】
【００１１】
以下、図面を参照してこの発明の種々な実施の形態を説明する。図１は、この発明の一実施形態に係る映像装置（シンク機器となるデジタルＴＶなど）と外部機器（ソース機器となるＨＤＤレコーダなど）の接続例を示すブロック図である。ここでは、デジタルＴＶ（広義には情報通信端末）１１の外観と、このデジタルＴＶ１１を中心として構成されるネットワークシステムの一例を概略的に示している。
【００１２】
すなわち、デジタルＴＶ１１などのシンク機器は、主として、薄型のキャビネット１２と、このキャビネット１２を起立させて支持する支持台１３とから構成されている。そして、キャビネット１２には、例えば液晶表示パネル等でなる平面パネル型の映像表示部１４、スピーカ１５、操作部１６、リモートコントローラ１７から送信される操作情報を受ける受光部１８等が設置されている。
【００１３】
このデジタルＴＶ１１には、例えばＳＤ（Secure Digital）メモリカード、ＭＭＣ（MultiMedia Card）等の第１のメモリカード１９が着脱可能となっており、この第１のメモリカード１９に対して番組や写真等の情報の記録再生が行なわれるようになっている。また、デジタルＴＶ１１には、例えば契約情報等の記録された半導体メモリを内蔵する第２のメモリカード（ＩＣカード）２０が着脱可能となっており、この第２のメモリカード２０に対して情報の記録再生が行なわれるようになっている。さらに、デジタルＴＶ１１は、ＬＡＮ（local area network）端子２１、第１のＨＤＭＩ端子２２、第２のＨＤＭＩ端子２３、ＵＳＢ（universal serial bus）端子２４およびｉ．ＬＩＮＫ（登録商標）端子２５を備えている。
【００１４】
ＬＡＮ端子２１は、ＬＡＮ対応ＨＤＤ（Hard Disk Drive）専用ポートとして使用することができる。このＬＡＮ端子２１は、接続されたＮＡＳ（Network Attached Storage）であるＬＡＮ対応のＨＤＤ４６に対して、イーサネット（登録商標）により情報の記録再生を行なうために使用される。このように、ＬＡＮ対応ＨＤＤ専用ポートとしてのＬＡＮ端子２１を設けることにより、他のネットワーク環境やネットワーク使用状況等に影響されることなく、ＨＤＤ２６に対してハイビジョン画質による番組の情報記録を安定して行なうことができる。
【００１５】
また、ＬＡＮ端子２１は、イーサネットを用いた一般的なＬＡＮ対応ポートとして使用することも可能で、例えばハブを介して、ＬＡＮ対応のＨＤＤ、ＰＣ（personal computer）、ＨＤＤ内蔵のＤＶＤレコーダ等の機器を接続し、これらの機器と情報伝送を行なうために使用することができる。
【００１６】
第１のＨＤＭＩ端子２２には、ＡＶ（Audio Visual）アンプ２７を介して、ＤＶＤ／ＨＤＤレコーダ２８およびＤＶＤプレーヤ２９などの外部機器（ＨＤＭＩ−ＣＥＣ対応機器）が接続されている。
【００１７】
第２のＨＤＭＩ端子２３は、例えばハブ３０を介して、ＨＤＭＩ端子を有したＡＶアンプ３１、ＰＣ３２、ＨＤＤ内蔵のＤＶＤ／ＨＤＤレコーダ３３、ＤＶＤプレーヤ３４等の外部機器を接続し、これらの外部機器と情報伝送を行なうために使用される。第１のＨＤＭＩ端子２２および第２のＨＤＭＩ端子２３は、ＨＤＭＩ規格に準拠した形態で外部機器との間で情報伝送するものである。
【００１８】
さらに、この第２のＨＤＭＩ端子２３は、ハブ３０に接続されたブロードバンドルータ３５を介して、例えばインターネット等のネットワーク３６に接続し、このネットワーク３６を介してＰＣ３７や携帯電話３８等と情報伝送を行なうために使用される。
【００１９】
ＵＳＢ端子２４は、一般的なＵＳＢ対応ポートとして使用されるもので、例えばハブ３９を介して、携帯電話４０、デジタルカメラ４１、メモリカードに対するカードリーダ／ライタ４２、ＨＤＤ４３、キーボード４４等を接続し、これらのＵＳＢ機器と情報伝送を行なうために使用される。
【００２０】
ｉ．ＬＩＮＫ端子２５は、例えばＡＶ−ＨＤＤ４５及びＤ−ＶＨＳ（Digital Video Home System）４６、さらには、地上波／衛星デジタルチューナを内蔵するＳＴＢ（Set Top Box）４６ａ等をシリアル接続（ディジーチェーン接続）し、これらの機器と情報伝送を行なうために使用される。
【００２１】
図２は、デジタルＴＶ１１の主要な信号処理系を示している。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。そして、このチューナ４９で選局された放送信号は、ＰＳＫ（Phase Shift Keying）復調器５０に供給されて、デジタルの映像信号及び音声信号に復調された後、信号処理部５１に出力される。
【００２２】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。そして、このチューナ５４で選局された放送信号は、ＯＦＤＭ（Orthogonal Frequency Division Multiplexing）復調器５５に供給されて、デジタルの映像信号及び音声信号に復調された後、信号処理部５１に出力される。
【００２３】
また、地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調器５７に供給されてアナログの映像信号及び音声信号に復調された後、信号処理部５１に出力される。
【００２４】
ここで、信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００２５】
また、信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルＴＶ１１の外部から入力可能とするものである。
【００２６】
そして、この信号処理部５１は、アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００２７】
このうち、グラフィック処理部５８は、信号処理部５１から供給されるデジタルの映像信号に、ＯＳＤ（On Screen Display）信号生成部６１で生成されるＯＳＤ信号を重畳して出力する機能を有する。このグラフィック処理部５８は、信号処理部５１の出力映像信号と、ＯＳＤ信号生成部６１の出力ＯＳＤ信号とを選択的に出力すること、また、両出力をそれぞれ画面の半分を構成するように組み合わせて出力することができる。
【００２８】
なお、ＯＳＤ信号生成部６１で生成されたＯＳＤ画像の映像表示部１４表示領域上における表示位置は、デフォルトで決めておくか、制御部６５のＭＰＵが実行するファームウエアプログラムにより適宜指定することができる。
【００２９】
具体的には、矩形表示領域の左上端部をｘ−ｙ平面座標の原点（０，０）とする。そして、ＯＳＤ画像を含む矩形表示領域（ｘ方向およびｙ方向に所定サイズを持つ）の左上端部のｘ−ｙ平面における座標（ｘ，ｙ）を、映像表示部１４の表示領域の画素単位で指定する。制御部６５のＭＰＵは、ＯＳＤ画像を含む矩形表示領域の左上端部の座標（ｘ，ｙ）をＯＳＤ信号生成部６１に指定することにより、ＯＳＤ画像を映像表示部１４の表示領域上の任意の位置に配置できる。また、ＯＳＤ信号生成部６１は、制御部６５のＭＰＵからの指令により、ＯＳＤ画像を含む矩形表示領域のｘ方向サイズおよび／またはｙ方向サイズに任意の倍率を掛けることができる。これにより、映像表示部１４の表示領域に表示されるＯＳＤ画像のサイズを任意に増減できる。
【００３０】
そして、グラフィック処理部５８から出力されたデジタルの映像信号は、映像処理部６２に供給される。この映像処理部６２は、入力されたデジタルの映像信号を、前記映像表示部１４で表示可能なフォーマットのアナログ映像信号に変換した後、映像表示部１４に出力して映像表示させるとともに、出力端子６３を介して外部に出力する。
【００３１】
また、音声処理部５９は、入力されたデジタルの音声信号を、スピーカ１５で再生可能なフォーマットのアナログ音声信号に変換した後、スピーカ１５に出力して音声再生させるとともに、出力端子６４を介して外部に出力する。
【００３２】
ここで、デジタルＴＶ１１は、上記した各種の受信動作を含むその全ての動作を制御部６５によって統括的に制御されている。この制御部６５は、ＭＰＵ（Micro Processing Unit）等を内蔵しており、操作部１６からの操作情報、または、リモートコントローラ１７から送出され受光部１８を介して受信した操作情報を受けて、その操作内容が反映されるように各部をそれぞれ制御している。
【００３３】
この場合、制御部６５は、主として、そのＭＰＵが実行する制御プログラム（ファームウエア）を格納したＲＯＭ（Read Only Memory）６６と、該ＭＰＵに作業エリアを提供するワークＲＡＭ（Random Access Memory）６７と、各種の設定情報及び制御情報等が格納される不揮発性メモリ６８とを利用している。また、図示しないが、制御部６５はタイマを内蔵しており、ＯＳＤ信号生成部６１等に対する制御タイミングをこのタイマで適宜管理している。
【００３４】
また、制御部６５は、カードＩ／Ｆ（InterFace）６９を介して、前記第１のメモリカード１９が装着可能なカードホルダ７０に接続されている。これによって、制御部６５は、カードホルダ７０に装着された第１のメモリカード１９と、カードＩ／Ｆ６９を介して情報伝送を行なうことができる。
【００３５】
また、制御部６５は、通信Ｉ／Ｆ７３を介してＬＡＮ端子２１と接続されている。これにより、制御部６５は、ＬＡＮ端子２１に接続されたＬＡＮ対応のＨＤＤ２６と、通信Ｉ／Ｆ７３を介して情報伝送を行なうことができる。この場合、制御部６５は、ＤＨＣＰ（Dynamic Host Configuration Protocol）サーバ機能を有し、ＬＡＮ端子２１に接続されたＬＡＮ対応のＨＤＤ２６にＩＰ（Internet Protocol）アドレスを割り当てて制御している。
【００３６】
さらに、制御部６５は、第１のＨＤＭＩ Ｉ／Ｆ７４を介して第１のＨＤＭＩ端子２２と接続されている。これにより、制御部６５は、第１のＨＤＭＩ端子２２に接続された各機器（ＨＤＭＩ−ＣＥＣ対応のＤＶＤ／ＨＤＤレコーダ２８など）と、第１のＨＤＭＩ Ｉ／Ｆ７４を介して情報伝送を行なうことができる。また、制御部６５は、第２のＨＤＭＩ Ｉ／Ｆ７５を介して第２のＨＤＭＩ端子２３と接続されている。これにより、制御部６５は、第２のＨＤＭＩ端子２３に接続された各機器（ＨＤＭＩ−ＣＥＣ対応の赤色／青色レーザ光ディスクレコーダなど）と、第２のＨＤＭＩ Ｉ／Ｆ７５を介して情報伝送を行なうことができる。
【００３７】
制御部６５はまた、ＵＳＢ Ｉ／Ｆ７６を介してＵＳＢ端子２４と接続されている。これにより、制御部６５は、ＵＳＢ端子２４に接続された各機器（図１参照）と、ＵＳＢ Ｉ／Ｆ７６を介して情報伝送を行なうことができる。
【００３８】
さらに、制御部６５は、ｉ．ＬＩＮＫ Ｉ／Ｆ７７を介してｉ．ＬＩＮＫ端子２５と接続されている。これにより、制御部６５は、ｉ．ＬＩＮＫ端子２５に接続された各機器（図１参照）と、ｉ．ＬＩＮＫ Ｉ／Ｆ７７を介して情報伝送を行なうことができる。
【００３９】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、Ｒリンクキー１７Ｒ（詳細は後述）、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。なお、カーソルキー１７ｆには、上下左右方向へカーソルを移動させる方向キー１７ｆ１〜１７ｆ４が設けられている。
【００４０】
次に、デジタルＴＶ１１に接続された外部機器に対して、デジタルＴＶ１１のリモートコントローラ１７による連動操作が可能か否かの判定について、図４のフローチャートを参照して説明する。ここでは、第１のＨＤＭＩ端子２２および第２のＨＤＭＩ端子２３に接続されている外部機器について説明する。
【００４１】
図１に示すように、デジタルＴＶ１１の第１のＨＤＭＩ端子２２および第２のＨＤＭＩ端子２３に複数の外部機器が接続された状態で、操作部１６またはリモートコントローラ１７による電源キー１７ａの操作を検知すると、制御部６５は、デジタルＴＶ１１の各部を起動状態とする。そして、制御部６５は、ＨＤＭＩ端子２２および第２のＨＤＭＩ端子２３に接続されている外部機器を検索する（ブロックＳＴ１０１）。
【００４２】
続いて、制御部６５は、第１のＨＤＭＩ端子２２および第２のＨＤＭＩ端子２３に接続された外部機器に対してコマンドを送信する（ブロックＳＴ１０２）。制御部６５は、そのコマンドに対する応答信号の有無によって、デジタルＴＶ１１に接続されている外部機器を特定する。
【００４３】
このとき、外部機器は、所定のタイミングで論理アドレスを含む信号をデジタルＴＶ１１に対して送信する。この論理アドレスは、０から１５の番号で定義されている。０から１５の番号のうち、１つはテレビジョン受像機、３つはレコーダ、３つはプレーヤ、１つはＡＶアンプ、６つはチューナ、残りはその他の機器として、異なる番号が機器種別ごとに設定されている。外部機器は、それぞれの機器に対応する論理アドレス番号をデジタルＴＶ１１に対して送信する。
【００４４】
デジタルＴＶ１１が外部機器から送信された論理アドレスを含む信号を受信すると、制御部６５は、不揮発性メモリ６２に記録されている論理アドレスと機器種別との対応関係情報から、信号を送信した外部機器の機器種別を判断する。
【００４５】
なお、０から１５で定義された論理アドレス以外に、各社オリジナルで設定されたベンダーコマンドを用いることもできる。この場合、外部機器が、それぞれの機器に対応するベンダーコマンドをデジタルＴＶ１１に対して送信する。デジタルＴＶ１１がベンダーコマンドを受信した場合、制御部６５は、不揮発性メモリ６８に記録されている各ベンダーコマンドと機器種別との対応関係情報から、信号を送信した外部機器の機器種別を判断する。機器種別は、各ベンダーコマンドに応じて、ＸＸＸ（社名）レコーダやＸＸＸ（社名）プレーヤと定義されている。
【００４６】
また制御部６５は、第１のＨＤＭＩ端子２２および第２のＨＤＭＩ端子２３に接続されている外部機器の接続関係を特定するために、外部機器に対して機器番号を定義している。制御部６５が第１のＨＤＭＩ端子２２および第２のＨＤＭＩ端子２３に接続された外部機器の有無を特定するために送信したコマンドに対する応答信号を第１のＨＤＭＩ Ｉ／Ｆ７４を介して受信した場合、制御部６５は、第１のＨＤＭＩ端子２２に接続された外部機器については１番と定義する。同様に、第２のＨＤＭＩ Ｉ／Ｆ７５を介して受信した場合、制御部６５は、第２のＨＤＭＩ端子２３に接続された外部機器については２番と機器番号を定義する。そして、制御部６５は、接続された外部機器から送られてくる機器種別等と、機器番号とを対応づけて不揮発性メモリ６８に記録する。
【００４７】
例えば、図１に示すように第１のＨＤＭＩ端子２２に複数の機器が直列的に接続され、第１のＨＤＭＩ Ｉ／Ｆ７４を介して複数の応答信号を受信した場合および、図１に示すように第２のＨＤＭＩ端子２３にハブ３０を介して並列的に接続され、第１のＨＤＭＩ Ｉ／Ｆ７４を介して複数の応答信号を受信した場合、制御部６５は機器番号を以下のように設定する。
【００４８】
第１のＨＤＭＩ端子２２には、ＡＶアンプ２７が接続されている。そして、ＡＶアンプ２７には、ＡＶアンプ２７に設けられた入力用ＨＤＭＩ端子にそれぞれＨＤＭＩ端子を有するＤＶＤ／ＨＤＤレコーダ２８、ＤＶＤプレーヤ２９が接続されている。制御部６５は、第１のＨＤＭＩ端子２２に接続された全ての機器について、１−Ｘ（Ｘは任意に設定）と機器番号を設定する。
【００４９】
例えば、制御部６５は、ＡＶアンプ２７は１−１、ＤＶＤ／ＨＤＤレコーダ２８は１−２、ＤＶＤプレーヤ２９は１−３と設定する。そして、制御部６５は、ＡＶアンプ２７から送信される信号に含まれる情報を、機器番号１−１と対応付けて不揮発性メモリ６８に記録する。同様に、制御部６５は、ＤＶＤ／ＨＤＤレコーダ２８から送信される信号に含まれる情報は、機器番号１−２と対応付けて、ＤＶＤプレーヤ２９から送信される信号に含まれる情報を、機器番号１−３と対応付けて不揮発性メモリ６８に記録する。
【００５０】
また制御部６５は、第２のＨＤＭＩ端子２３に接続された全ての機器について、２−Ｘ（Ｘは任意に設定）と機器番号を設定する。例えば、ＡＶアンプ３１は２−１、ＰＣ３２は２−２、ＤＶＤ／ＨＤＤレコーダ３３は２−３、ＤＶＤプレーヤ３４は２−４と設定する。そして、制御部６５は、ＡＶアンプ３１から送信される信号に含まれる情報を、機器番号２−１と対応付けて不揮発性メモリ６８に記録する。同様に、制御部６５は、ＰＣ３２から送信される信号に含まれる情報を機器番号２−２と対応付け、ＤＶＤ／ＨＤＤレコーダ３３から送信される信号に含まれる情報を機器番号２−３と対応付け、ＤＶＤプレーヤ３４から送信される信号に含まれる情報を機器番号２−４と対応付けて、不揮発性メモリ６８に記録する。また、各外部機器は、デジタルＴＶ１１に対して、各々の型名情報も送信する。制御部６５は、不揮発性メモリ６８に、任意に設定した機器番号、機器種別、型名を対応付けて（テーブル形式などで）記録する。
【００５１】
次に、制御部６５は、ＨＤＭＩ端子２２および第２のＨＤＭＩ端子２３に接続されている外部機器に対して、ＣＥＣ対応か非対応かの回答を要求する信号を送信する（ブロックＳＴ１０３）。
【００５２】
制御部６５は、ＨＤＭＩ端子２２および第２のＨＤＭＩ端子２３に接続されている外部機器からの回答（機器番号、機器種別、型名等の情報を含む）を基にして、それぞれの外部機器がＣＥＣ対応か非対応かを判断する（ブロックＳＴ１０４）。外部機器がＣＥＣ対応であれば、ＨＤＭＩ−ＣＥＣコマンドを利用して、デジタルＴＶ１１に対してユーザがリモートコントローラ１７で操作することで、ＣＥＣ対応の外部機器を連動操作することができる。
【００５３】
そして、制御部６５は、任意に設定した機器番号、機器種別、型名、ＣＥＣ対応か否か（ＨＤＭＩ連動か否か）を対応付けたＨＤＭＩ情報を、全ての外部機器についての情報であるＨＤＭＩ入力一覧情報として、不揮発性メモリ６８のＨＤＭＩ入力一覧情報テーブル６８１に記録する（ブロックＳＴ１０５）。
【００５４】
この例では、第２のＨＤＭＩ端子２３にハブ３０を介して接続されているＡＶアンプ３１はＣＥＣ非対応、ＰＣ３２はＣＥＣ対応、ＤＶＤ／ＨＤＤレコーダ３３はＣＥＣ対応、ＤＶＤプレーヤ３４はＣＥＣ非対応とする。そのため、不揮発性メモリ６８のＨＤＭＩ入力一覧情報テーブル６８１には、例えば、ＡＶアンプ３１については、機器番号を２−１、機器種別をＡＶアンプ、型名をＤＴＸ−５．８、ＣＥＣ非対応なので、ＨＤＭＩ連動はなしとして記録する。ＰＣ３２については、機器番号を２−２、機器種別をＸＸＸ（社名）ＰＣ、型名をａｂｃｄ−ｅ１０、ＣＥＣ対応なのでＨＤＭＩ連動はありとして記録する。
【００５５】
同様に、デジタルＴＶ１１にＨＤＭＩ接続されている全ての外部機器についてＨＤＭＩ入力一覧情報を表示する。ＤＶＤ／ＨＤＤレコーダ３３については、機器番号を２−３、機器種別をＸＸＸ（社名）レコーダ、型名をＲＤ−Ａ６００、ＣＥＣ対応なので、ＨＤＭＩ連動はありとして記録する。ＤＶＤプレーヤ３４については、機器番号を２−４、機器種別をＸＸＸ（社名）プレーヤ、型名をＨＤ−Ａ２、ＣＥＣ非対応なのでＨＤＭＩ連動はなしとして記録する。
【００５６】
その後、リモートコントローラ１７による所定の操作を検知すると、制御部６５は、ＨＤＭＩ入力一覧情報を不揮発性メモリ６８のＨＤＭＩ入力一覧情報テーブル６８１から読み出して、ＨＤＭＩ入力一覧情報を映像表示部１４に表示することができる。
【００５７】
このＨＤＭＩ入力一覧情報（図５の６８２）には、所定の順番（例えば機器番号、機器種別、型名、ＨＤＭＩ連動の可否の順）で、（２−１、ＡＶアンプ、ＤＴＸ−５．８、ＨＤＭＩ連動）、（２−２、ＸＸＸ（社名）ＰＣ、ａｂｃｄ−ｅ１０、ＨＤＭＩ連動）、（２−３、ＸＸＸ（社名）レコーダ、ＲＤ−Ａ６００、ＨＤＭＩ連動）、（２−４、ＸＸＸ（社名）プレーヤ、ＨＤ−Ａ２）などが表示される。ＨＤＭＩ連動が可能の場合は、ＨＤＭＩ連動（つまりＣＥＣ対応）と文字表示し、ＨＤＭＩ連動が不可の場合は、ＨＤＭＩ連動との文字表示はしない。
【００５８】
ユーザは、ＨＤＭＩ入力一覧情報（図５の６８２）の表示画面上で、リモートコントローラ１７のカーソルキー１７ｆを用いて、映像表示部１４に表示したい所望の外部機器を選択することができる。制御部６５は、ＨＤＭＩ入力一覧情報テーブル６８１から得た入力一覧情報６８２の表示画面上で、ユーザが所望の外部機器のＨＤＭＩ情報をリモートコントローラ１７の決定キー１７ｇにより選択したことを検知したとき、映像表示部１４の表示画面を選択された外部機器の入力信号に切り替えて表示し、対応する外部機器のＨＤＭＩ情報も不揮発性メモリ６８から取得して表示する。
【００５９】
ここで、例えばＤＶＤ／ＨＤＤレコーダ３３が出力する映像情報を映像表示部１４で表示するように、ＨＤＭＩ入力一覧情報６８２から、機器番号が２−３の欄をユーザが選択すると、制御部６５は、ＤＶＤ／ＨＤＤレコーダ３３から送信される映像情報を映像表示部１４に表示制御するとともに、映像表示部１４の所定位置（例えば表示画面の左上端；図６の例でいえば１４４）にＤＶＤ／ＨＤＤレコーダ３３についてのＨＤＭＩ情報を表示する。
【００６０】
このとき、制御部６５は、不揮発性メモリ６８に記録されているＨＤＭＩ入力一覧情報のうち、ＤＶＤ／ＨＤＤレコーダ３３についてのＨＤＭＩ情報として、機器番号を２−３、機器種別をＸＸＸ（社名）レコーダ、型名をＲＤ−Ａ６００、ＨＤＭＩ連動を視認できるように映像表示部１４に表示させることができる。
【００６１】
ユーザは、映像表示部１４に表示されたＤＶＤ／ＨＤＤレコーダ３３についてのＨＤＭＩ情報（例えば図５の６８２内に出画された「ＨＤＭＩ連動」という表示）を視認することで、ＤＶＤ／ＨＤＤレコーダ３３がデジタルＴＶ１１に連動して動作するかどうかを容易に判断することができる。つまり、ユーザは、ＤＶＤ／ＨＤＤレコーダ３３に対する再生等の制御を、デジタルＴＶ１１のリモートコントローラ１７で連動操作できることをすぐに見分けられる。
【００６２】
ＨＤＭＩ入力一覧情報（図５の６８２）は、機器種別を表示しているため、ユーザは、デジタルＴＶ１１に外部機器として何が接続されているのかを容易に視認することができる。そして、外部機器の機器種別と対応付けてＨＤＭＩ連動操作が可能かどうか表示されているため、所望の外部機器に対する操作をデジタルＴＶ１１にリモートコントローラ１７で連動操作できるのか、外部機器に対して直接操作しなければいけないのかを容易に見分けることができる。
【００６３】
ＣＥＣ非対応（映像表示部１４にＨＤＭＩ連動の欄が非表示）の外部機器は、デジタルＴＶ１１に対してリモートコントローラ１７で操作しても動作しない（例えば図３のリモートコントローラ１７のＲリンクキー１７Ｒを押しても図６の操作パネル映像１４２が表示されない）ので、ユーザはＣＥＣ非対応機器に対して誤った操作をすることがなくなり、利便性がよくなる。
【００６４】
上記制御部６５による処理は、第１のＨＤＭＩ端子２２および第２のＨＤＭＩ端子２３以外のＬＡＮ端子２１、ＵＳＢ端子２４、ｉ．ＬＩＮＫ端子２５に接続された機器に対しても、ＨＤＭＩ−ＣＥＣと同様の機能を有するものに対しては同様とすることができる。
【００６５】
次に、他の実施形態について説明する。上記の実施形態では、制御部６５は、ＨＤＭＩ端子２２および第２のＨＤＭＩ端子２３に接続されている外部機器に対して、それぞれの外部機器がＣＥＣ対応か非対応か（ＨＤＭＩ連動か否か）を判断した。ここでは、制御部６５は、それぞれの外部機器対して当該デジタルＴＶ１１がどの程度ＨＤＭＩ連動可能なのかを示す情報（連動機能バージョン情報）を送信する。また制御部６５は、それぞれの外部機器から連動機能バージョン情報を受信する。
【００６６】
ＨＤＭＩ連動可能の度合いは、例えば３段階に分類される。つまり、制御部６５は、デジタルＴＶ１１にリモートコントローラ１７を用いて外部機器に対して電源のオン／オフが可能であればＨＤＭＩ連動Ｖｅｒ．１と識別する。また、制御部６５は、外部機器に対して電源連動および再生が可能であればＨＤＭＩ連動Ｖｅｒ．２と識別する。そして、制御部６５は、外部機器に対して電源連動、再生および録画が可能であればＨＤＭＩ連動Ｖｅｒ．３と識別する。
【００６７】
また制御部６５は、ＨＤＭＩ連動可能な外部機器であっても、デジタルＴＶ１１と連動機能バージョン情報の送受信ができない場合は、ＨＤＭＩ連動可能とのみ識別する。
【００６８】
制御部６５は、リモートコントローラ１７による所定の操作の検知により映像表示部１４の表示画面の所定領域にデジタルＴＶ１１自体の機種名、連動機能バージョン情報などを示す機器情報を不揮発性メモリ６８から読み出して表示することができる。
【００６９】
ここで、例えば、デジタルＴＶ１１の連動機能バージョン情報がＶｅｒ．２である場合について説明する。制御部６５は、リモートコントローラ１７による所定の操作を検知すると、映像表示部１４にＨＤＭＩ連動機器リスト（図５の６８２に含まれる「ＨＤＭＩ連動」の表示を「ＨＤＭＩ連動Ｖｅｒ．ｘ」に変更したもの）を不揮発性メモリ６８から読み出して所定領域に表示することができる。
【００７０】
図示しないが、このＨＤＭＩ連動機器リストには、例えば、機器番号、機器種別、型名、ＨＤＭＩ連動の可否およびバージョンの順で、（２−１、ＡＶアンプ、ＤＴＸ−５．８、ＨＤＭＩ連動Ｖｅｒ．１）、（２−２、ＸＸＸ（社名）ＰＣ、ａｂｃｄ−ｅ１０、ＨＤＭＩ連動Ｖｅｒ，２）、（２−３、ＸＸＸ（社名）レコーダ、ＲＤ−Ａ６００、ＨＤＭＩ連動Ｖｅｒ．３→２）、（２−４、ＸＸＸ（社名）プレーヤ、ＨＤ−Ａ２、ＨＤＭＩ連動なし）、（２−２５、プレーヤ、型名なし、ＨＤＭＩ連動なし）、（２−２６、プレーヤ、型名なし、ＨＤＭＩ連動Ｖｅｒ．２）、（２−２７、プレーヤ、型名なし、ＨＤＭＩ）などが含まれる。
【００７１】
映像表示部１４には、デジタルＴＶ１１と外部機器との間でＨＤＭＩ連動可能である場合、ＨＤＭＩ連動と文字表示される。映像表示部１４は、デジタルＴＶ１１と外部機器との間でＨＤＭＩ連動不可である場合、ＨＤＭＩ連動と文字表示しない。ここで、ＤＶＤ／ＨＤＤレコーダ３３は、ＨＤＭＩ連動可能であり、連動機能バージョン情報がＨＤＭＩ連動Ｖｅｒ．３であるが、デジタルＴＶ１１自体は、連動機能バージョン情報がＨＤＭＩ連動Ｖｅｒ．２であるとする。すなわち、デジタルＴＶ１１自体の連動機能バージョン情報よりも外部機器であるＤＶＤ／ＨＤＤレコーダ３３の連動機能バージョン情報が高い。この場合、デジタルＴＶ１１とＤＶＤ／ＨＤＤレコーダ３３の間では、ＨＤＭＩ連動Ｖｅｒ．２に規定されているＨＤＭＩ連動は可能である。しかし、ＨＤＭＩ連動Ｖｅｒ．３には規定されているがＨＤＭＩ連動Ｖｅｒ．２には規定されていないＨＤＭＩ連動は不可となる。したがって、映像表示部１４におけるＨＤＭＩ連動機器リストの表示では、ＤＶＤ／ＨＤＤレコーダ３３について、当該デジタルＴＶ１１との間ではＨＤＭＩ連動Ｖｅｒ．２のＨＤＭＩ連動が可能である旨を示すために、ＨＤＭＩ連動Ｖｅｒ．３→２と表示する。
【００７２】
また、映像表示部１４は、ＤＶＤ／ＨＤＤレコーダ３３の連動機能バージョン情報をＨＤＭＩ連動Ｖｅｒ．３→２と表示する代わりに、ＨＤＭＩ連動Ｖｅｒ．３と表示した状態で、他の連動機能バージョン情報の表示よりも薄い色で表示（ゴースト表示）するなど、ユーザが一見してＤＶＤ／ＨＤＤレコーダ３３に対してＨＤＭＩ連動Ｖｅｒ．３に規定されているＨＤＭＩ連動が不可である旨を判別できるように表示することもできる。
【００７３】
ここで、ユーザが、ＤＶＤ／ＨＤＤレコーダ３３から出力される映像情報が映像表示部１４で表示されるように、ＨＤＭＩ連動機器リストから機器番号が２−３の欄を選択したとする。映像表示部１４は、ＤＶＤ／ＨＤＤレコーダ３３から出力される映像情報を映像表示部１４の所定の表示領域に表示するとともに、別の領域にＤＶＤ／ＨＤＤレコーダ３３についてのＨＤＭＩ情報を表示する。制御部６５が、映像情報を映像表示部１４に表示制御するとともに任意の位置にＤＶＤ／ＨＤＤレコーダ３３についてのＨＤＭＩ情報を合成して表示するように制御してもよい。映像表示部１４は、不揮発性メモリ６８に記録されているＨＤＭＩ入力一覧情報のうちＤＶＤ／ＨＤＤレコーダ３３についてのＨＤＭＩ情報として、機器番号を２−３、機器種別をＸＸＸ（社名）レコーダ、型名をＲＤ−Ａ６００、ＨＤＭＩ連動Ｖｅｒ．３→２を表示する。
【００７４】
図１１は、ソース機器（外部機器）からのビデオ映像および状況映像がシンク機器（デジタルＴＶ）の表示領域１４０に表示され、この表示領域のうち状況映像を避けた位置に操作パネル映像１４２が表示され、この操作パネル映像を用いてソース機器の操作制御を行うまでの手順の一例を説明するフローチャートである（このフローチャートの処理は図２の制御部６５が実行できる）。また、図６は、映像装置（デジタルＴＶ）１１の映像表示部１４における操作パネル映像１４２の表示例を示す図である。以下、図１１の処理を説明する。
【００７５】
図１のデジタルＴＶ１１に接続されている外部機器がＨＤＭＩ−ＣＥＣ対応機器（例えばＨＤＭＩ−ＣＥＣ対応のＨＤＤレコーダ３３）に切り替わると、このデジタルＴＶ１１は、その外部機器の動作状況および／または操作状況に対応する状況映像（ＨＤＤ再生中などのアイコン１４４、前スキップなどの操作ガイドを含むメニューバー１４６）を含む映像情報（ビデオ映像の一部になっている）をその外部機器から受信する（ブロックＳＴ１０）。なお、外部機器がＨＤＭＩ−ＣＥＣ対応機器であるか否かの判断は、図４の処理で行うことができる。
【００７６】
デジタルＴＶ１１は、受信した前記映像情報が表示される表示領域１４０のうち前記状況映像（１４４、１４６）が存在し得る（あるいは存在することが予想される）特定映像領域を避けた領域に、前記外部機器の操作に利用する操作パネル映像１４２を配置して表示する（ブロックＳＴ２０）。
【００７７】
この特定映像領域は、表示領域１４０の上下全幅を１００％としたとき、例えば上から１０〜３０％の範囲および／または下から１０〜３０％の範囲に設定することができる（０〜１００％の範囲内で、別の範囲を設定してもよい）。この上の範囲および／または下の範囲をどの程度にとるかは、外部機器の機種（機器種別）毎に個別設定されてもよい。また、状況により特定映像領域の範囲を０％にすることもでき、その場合はその範囲に前記状況映像は出画されない。
【００７８】
なお、操作パネル映像１４２の表示位置が予め決まっているときは、外部機器がＨＤＭＩ−ＣＥＣ対応機器に切り替わった直後に操作パネル映像を出画させることができる。
【００７９】
表示された操作パネル映像（ソフトウエア・リモートコントローラ）１４２のキー配置は、ユーザの手元にあるリモートコントローラ１７（図３）に対応している。現在ＨＤＤレコーダ３３が再生中であることは、画面左上隅のアイコン１４４の表示から知ることができる（例えば再生一時停止中であればこのアイコン１４４は一時停止中の表示に変わる）。この状態で、例えばユーザがリモートコントローラ１７のカーソルキー１７の左下に配置された青ボタン（カラーキー１７ｍの１つ）を押すと、その機器操作をＨＤＭＩ−ＣＥＣに基づく操作制御情報（前スキップ）として外部機器（ＨＤＤレコーダ）に送出する（ブロックＳＴ３０）。すると、再生中のタイトルのチャプタ単位で、前スキップが行われ、表示領域１４０上の再生シーンが切り替わる。
【００８０】
操作パネル映像１４２を見ているユーザが手元のリモートコントローラ１７のＲリンクキー１７Ｒを押すと、表示領域１４０から操作パネル映像１４２が消え、外部機器からの映像を表示領域１４０の全面に表示できる。Ｒリンクキー１７Ｒがもう一度押されると、操作パネル映像１４２が再び出画する。つまり、ＨＤＭＩ−ＣＥＣ対応機器からの映像表示中は、Ｒリンクキー１７Ｒにより、操作パネル映像１４２を自由に出したり消したりできる。ＨＤＭＩ−ＣＥＣ対応機器とデジタルＴＶ１１との接続が断たれたとき、あるいはＨＤＭＩ−ＣＥＣ対応機器からの映像信号が無映像状態（ブルーバックなど）で一定時間経過したら、操作パネル映像１４２を自動的に消すように構成できる。
【００８１】
図９は、ソース機器（ＨＤＭＩ−ＣＥＣ対応レコーダなどの外部機器）からのビデオ映像および状況映像（操作ガイド）がシンク機器（デジタルＴＶ）の表示領域に表示され、この表示領域のうち状況映像（操作ガイド）を避けた位置に操作パネル映像１４２がＯＳＤ表示される例を説明する図である。
【００８２】
例えばデジタルＴＶ１１と同じメーカの自社レコーダ（ＨＤＭＩ−ＣＥＣ対応）でデジタル放送映像が受信され、その受信映像がＨＤＭＩ接続を介してデジタルＴＶ１１へ送られているとする（図９（ａ）〜（ｃ））。デジタルＴＶ１１の映像入力が上記自社レコーダ（ＨＤＭＩ−ＣＥＣ対応）に切り替わると、画面中央左側に操作パネル映像１４２が出画する（図９（ｄ））。自社レコーダからの映像入力に操作ガイド１４６の映像が含まれておれば、それも表示される。この状態でＲリンクキー１７Ｒが押されると操作パネル映像１４２が消え、自社レコーダで受信したデジタル放送映像（ＨＤＭＩ入力画面）だけとなる（図９（ｅ））。（このＨＤＭＩ入力画面が操作ガイド１４６の映像を含んでいるときはその映像は消えない。）もう一度Ｒリンクキー１７Ｒが押されると、操作パネル映像１４２が再表示される（図９（ｄ））。
【００８３】
図１０は、シンク機器（デジタルＴＶ）の表示領域における操作パネル映像およびこの操作パネル映像に関連する映像表示の例を説明する図である。また、図７は、外部機器が自社製品（レコーダ）の場合において、映像表示部１４に表示される操作パネル映像１４２とそれに関連するメニューの表示例を示す図である。
【００８４】
ＨＤＭＩ入力画面（図１０（ａ））の映像を提供するＨＤＭＩ−ＣＥＣ対応機器（ＤＶＤレコーダなど）がデジタルＴＶ１１に接続されているとき、図７（ａ）の操作パネル映像１４２が出画されている状態（図１０（ｂ））でリモートコントローラ１７のカーソルキー１７ｆの方向キー１７ｆ１が押されたとする。すると、図２の制御部６５のＭＰＵは機器操作のメニューを出す指示があったと判断し、図７（ｂ）に示すような機器操作メニュー１４２ｘを操作パネル映像１４２のあった位置に表示させる（図１０（ｃ））。
【００８５】
ユーザがカーソルキー１７ｆの方向キー操作で図７（ｂ）の機器選択項目１４８を選択して決定キー１７ｇを押すと、表示画面１４０は機器選択画面（図１０（ｄ））に切り替わる。ここでは、自社レコーダと自社ＰＣのいずれかが選択枝として提示されている。カーソルキー１７ｆと決定キー１７ｇの操作で例えば自社レコーダが選択されると、図１０（ｃ）の画面に戻る。ここで、ユーザがカーソルキー１７ｆの方向キー操作で図７（ｂ）のスピーカー切換項目１４９を選択して決定キー１７ｇを押すと、表示画面１４０はスピーカー切換画面（図１０（ｅ））に切り替わる。ここで、選択した自社レコーダからの映像に伴う音声をどのスピーカー（ＡＶシステムのスピーカーかＴＶ内蔵のスピーカーか）から出すかが決定される。使用スピーカーが決まれば、図１０（ｃ）の画面に戻る。その他の項目選択（図７（ｂ））が適宜行われたあと、リモートコントローラ１７の戻るキー１７ｋが押されると、図１０（ｂ）の画面に戻る。
【００８６】
ユーザがカーソルキー１７ｆの方向キー操作で図７（ｂ）の見ながら選択項目１５０を選択して決定キー１７ｇを押すと、表示画面１４０は見ながら選択画面（図１０（ｇ））に切り替わる。この画面では、表示領域１４０に表示された自社レコーダからのビデオ映像を出画させたまま、ユーザは、見ながら選択１５０の画面を見つつ、種々な設定項目を選択できる。
【００８７】
図７（ｂ）の機器操作メニュー１４２ｘはその他種々な項目を含むことができるが、限られたメニューエリアでは表示しきれない項目が生じることがある。その場合は、表示しきれない項目をその他の操作項目１５４とし、この項目１５４が選択されたら表示を図７（ｃ）のように切り替えて、図７(ｂ)では表示しきれなかった項目を階層表示することができる。その他の操作項目１５４としては、例えばＤＶＤトップメニュー、ＤＶＤメニュー、多放送同時録画（Ｗ録画）の切換メニューがある。
【００８８】
図１０（ｂ）の画面においてリモートコントローラ１７の決定キー１７ｇが押されると、図２の制御部６５のＭＰＵは図７（ａ）の操作パネル映像１４２における再生指示があったものと判断し、ＨＤＭＩ−ＣＥＣ接続されている自社レコーダに再生指令を送る。すると該当レコーダからデジタルＴＶ１１へ再生映像信号が送られ、その映像が表示領域１４０に表示される（図１０（ｆ））。その際、送られてきた映像信号に自社レコーダが付加した再生制御アイコン１４４が含まれていれば、そのアイコン１４４も表示される（図１０（ｆ））。図３では図示していないが、リモートコントローラ１７に「見ながら選択」のキーが付いているときは、図７（ｂ）の機器操作メニューの項目１５０を使わなくても、見ながら選択画面（図１０（ｇ））に直接移行できる。
【００８９】
なお、デジタルＴＶ１１と同じメーカであっても機種が異なれば表示項目も変わり得る。図７（ｅ）はその例を示している。しかし、（自社他社を問わず）機種が異なっても、機器選択項目１４８とスピーカー切換項目１４９は、どの機器操作メニュー１４２ｘにも必ず存在するように構成できる。そのような構成では、機器選択項目１４８とスピーカー切換項目１４９は、操作パネル映像１４２の一部として扱ってもよい。
【００９０】
図８は、外部機器が自社製品（ＰＣ、デジタルカメラ）または他社製品（プレーヤ）の場合において、映像表示部に表示される操作パネル映像とそれに関連するメニューの表示例を示す図である。ここでは、外部機器の種別（ＰＣ、デジタルカメラ）あるいは外部機器が自社製品であるか他社製品であるかによって、機器操作メニュー１４２ｘの内容の一部が変わってくることを例示している。しかしながら、操作パネル映像１４２のＯＳＤ画像については、共通のレイアウトを採用できる。
【００９１】
なお、図８（ｋ）の機器操作メニュー１４２ｘ内にある番組選択項目１６０には、ポータルメニュー起動項目を割り当てることができる。このポータルメニュー起動項目は、例えばＡ社のレコーダではスタートメニューに対応させ、Ｂ社のレコーダではそのメーカ特有のメニューに対応させることができる。
【００９２】
図１２は、表示領域１４０に操作パネル映像１４２を表示する際に、状況映像１４４、１４６を避けた位置に操作パネル映像を自動配置する手順の一例を説明するフローチャートである。まず、デジタルＴＶ１１の制御部６５のＭＰＵは、外部機器からの映像情報に含まれる状況映像（１４４、１４６）の画像位置を、画像認識等により検出する（ブロックＳＴ２００）。
【００９３】
例えば、所定表示期間（０．５秒以下）内で連続する複数フレームの映像を、ワークＲＡＭ６７あるいは図示しないビデオＲＡＭに格納する。この格納された映像データのうち、数フレームにわたって映像信号レベルの変化がなく、ブルーバック等の全面静止画映像とは異なる映像信号レベル（コントラスト）を持った静止領域を抽出する。この静止領域のエッジはその周辺の映像信号レベルから急変しているため、このエッジ検出を行うことで、静止領域の位置を検出できる。
【００９４】
抽出された静止領域が画面の上下に分散して複数存在する場合は、例えば画面センター（上下の５０％ライン）より上側の静止画領域のうち最も下にある静止画領域の下側エッジより上を、上側の状況映像範囲とする（この上側状況映像範囲内に図６のアイコン１４４が存在する）。また、画面センター（上下の５０％ライン）より下側の静止画領域のうち最も上にある静止画領域の上側エッジより下を、下側の状況映像範囲とする（この下側状況映像範囲内に図６のメニューバー１４６が存在する）。こうして得られた上側状況映像範囲が上下幅の例えば２５％であり、下側状況映像範囲が上下幅の例えば１５％であれば、表示領域１４０の上下中央６０％の範囲が、状況映像（１４４、１４６）と重ならない範囲となる。
【００９５】
検出された状況映像位置（上側２５％および／または下側１５％）と操作パネル映像１４２の表示位置が重なるときは、重なりが出ない位置（上から２５％より下で、下から１５％より上の表示範囲内）に操作パネル映像１４２の表示位置を移動させ、および／またはその表示サイズを変更する（ブロックＳＴ２０２）。
【００９６】
操作パネル映像１４２の表示サイズの変更は、（１）表示位置の移動だけでは重なりがとれないとき、（２）表示位置を移動させなくても表示サイズを変えれば重なりがでないとき、あるいは（３）表示位置を移動させなくても重なりは出ないが、別の理由で表示サイズを増減させたいとき、などに行う。
【００９７】
例えば、操作パネル映像１４２の上下サイズが表示領域の上下幅の６０％より大きいときは、６０％以下となるように操作パネル映像１４２の上下サイズを減少させる（ＯＳＤ信号生成部６１での処理）。その際、操作パネル映像１４２の左右サイズは変更しなくてもよいが、視覚上の違和感が出ないように、上下サイズの減少率と同率で左右サイズを減少させてもよい。
【００９８】
また、操作パネル映像１４２の上下サイズが表示領域の上下幅の６０％より小さいときは、操作パネル映像１４２のサイズを変更しなくてもよいが、６０％近くまで操作パネル映像１４２の上下サイズを増やしてもよい。その際、視覚上の違和感が出ないように、上下サイズの増加率と同率で左右サイズを増加させてもよい。
【００９９】
また、操作パネル映像１４２の上下サイズが表示領域の上下幅の６０％の範囲に収まっているときでも、外部機器からのビデオ映像表示のうち操作パネル映像１４２で隠される部分を減らしたいときは、視覚上の見易さが大きく損なわれない範囲で、操作パネル映像１４２の左右サイズを減らしてもよい。
【０１００】
そして、状況映像（１４４、１４６）の位置を避けた表示領域１４０の任意位置（上下中央６０％の範囲内）に、操作パネル映像１４２を出画させる（ブロックＳＴ２０４）。
【０１０１】
以上の操作をまとめると、次のようになる。すなわち、デジタルＴＶ１１の映像入力がＨＤＭＩ−ＣＥＣ対応機器に切り替わった際に、図６に示すような操作パネル映像１４２を自動表示する。この操作パネル映像１４２は、表示画面の上下ほぼ中央の範囲内に表示する。表示された操作パネル映像１４２の表示／非表示は、リモートコントローラ１７のＲリンクキー１７Ｒの反復オン操作により、切り替えることができる。
【０１０２】
操作パネル映像１４２の表示位置は、固定されていてもよいが、移動するように構成することもできる（操作パネル映像１４２のＯＳＤ画像を含む矩形表示領域左上隅部の位置を表示領域１４０上の任意の位置に設定する）。また、表示された操作パネル映像１４２の縦横サイズを増減することもできる（操作パネル映像１４２のＯＳＤ画像を含む矩形表示領域のｘ方向サイズおよび／またはｙ方向サイズに任意の倍率を掛ける）。
【０１０３】
また、外部機器（ＨＤＭＩ−ＣＥＣ対応機器）側のＵＩグラフィック表示の位置を画像認識等により検出して、操作パネル映像１４２の位置を自動的に移動させることもできる（図１２参照）。
【０１０４】
操作パネル映像（ソフトウエアリモートコントローラ）１４２のうち、リモートコントローラ１７の決定キー１７ｇ、カーソルキー１７ｆ、カラーキー１７ｍなどに対応するキー画像に、再生制御動作を割り当てる。
【０１０５】
リモートコントローラ１７の該当キーが押されたことをユーザに通知するため、特定のキー（例えば決定キー１７ｇ）が押されてから一定時間（数秒）、操作パネル映像１４２の対応キー画像（再生／一時停止キー画像１７ｇ）のコントラストや色を変えたり、点滅させたりすることもできる。
【０１０６】
＜実施の形態の効果＞
デジタルＴＶに接続されたレコーダ等を操作するための操作パネルをＴＶの画面上に表示する際に、レコーダ（自社レコーダ、他社レコーダ問わず）側から映像として入力されるメニューバーなどが重なって表示されないように、操作パネル映像を表示領域の上下方向の中央に配置する。これにより、レコーダ側から入力される映像に含まれるグラフィック表示と操作パネルが重なって表示されることを避けることができる。
【０１０７】
＜実施の形態と発明との対応例＞
（１）この発明に係る映像装置は、所定の規格（ＨＤＭＩ−ＣＥＣ）に対応する外部機器（２８、３３）と接続する接続手段（２２、２３：有線・無線は問わない）と、
前記接続手段を介して接続された前記外部機器から、前記外部機器（例えばＨＤＤレコーダ）の動作状況（ＨＤＤ再生中など）あるいは操作状況（前スキップなどの操作ガイド）に対応する状況映像（１４４、１４６：外部機器から映像として入力されるアイコン、メニューバー等）を含む映像情報（ビデオ映像の一部になっている）を受信する外部機器映像受信手段（７４、７５：ＨＤＭＩ＿Ｉ／Ｆの受信機能）と、
前記外部機器の操作に利用する操作パネル映像（１４２：ＯＳＤ）を生成する生成手段（６１）と、
前記操作パネル映像を用いた機器操作指令（ユーザによるリモートコントローラ操作指令等）を受ける機器操作指令受信手段（１８）と、
前記外部機器から受信した前記映像情報が表示される表示領域（１４０）うち前記状況映像が（１４４、１４６）存在し得る（存在することが予想される）特定映像領域（例えば表示領域の上下１０〜３０％）を避けた領域に、前記操作パネル映像（１４２）を配置する操作パネル映像配置手段（ＭＰＵ６５）と、
前記操作パネル映像（１４２）を用いた機器操作指令（ユーザによるリモートコントローラ操作指令等）を、前記所定の規格（ＨＤＭＩ−ＣＥＣ）に基づく操作制御情報（スキップ指令等）として、前記接続手段（２２、２３）を介して接続された前記外部機器（２８、３３：ＨＤＭＩ−ＣＥＣ対応機器）に送出する操作情報送出手段（７４、７５：ＨＤＭＩ＿Ｉ／Ｆの送信機能）を具備している。
【０１０８】
（２）前記表示領域は特定のアスペクト比（１６：９、４：３等）を持つ矩形領域であり、この矩形領域の上下方向のサイズを１００％としたとき、この矩形領域の上から１００％未満の第１所定％（例えば１０〜３０％）の上側特定領域および、この矩形領域の下から１００％未満の第２所定％（例えば１０〜３０％）の下側特定領域を避けた中央領域（縦サイズの中央４０〜８０％）に、前記操作パネル映像が表示される。
【０１０９】
（３）前記外部機器から受信した前記映像情報に含まれる前記状況映像（１４４、１４６）の位置を検出する（例えば０．５秒以下の表示期間内で複数フレームにわたって映像信号レベルの変化がなく、ブルーバック等の全面静止画映像とは異なる映像信号レベル（コントラスト）を持った静止領域の、エッジを検出する等）状況映像位置検出手段（ＭＰＵ６５のファーム）を更に備える。そして、前記状況映像位置検出手段により検出された前記状況映像の位置を避けた前記表示領域に、前記操作パネル映像（１４２）を表示する。
【０１１０】
（４）前記機器操作指令受信手段（１８）は前記機器操作指令をリモートコントローラ（１７）から受け取るように構成され、前記表示領域における前記操作パネル映像（１４２）は前記リモートコントローラ（１７）のキー操作により表示・非表示が切り替え可能に構成され（リモートコントローラのＲリンクキー１７Ｒを押す）、表示された前記操作パネル映像（１４２）には機器操作マーク（１７ｆ１）が含まれる。この機器操作マーク（１７ｆ１）に対応する前記リモートコントローラ（１７）のキー操作（リモートコントローラのカーソルキー１７ｆ１を押す）により、前記操作パネル映像（１４２）に関連した機器操作メニュー（図７（ｂ）など）を前記表示領域（１４０）に表示できる。
【０１１１】
（５）前記表示領域（１４０）における前記操作パネル映像（１４２）の表示位置は、前記状況映像（１４４、１４６）を避けた位置へ移動可能に構成（ＭＰＵ６５のファーム）される。
【０１１２】
（６）前記所定の規格はＨＤＭＩに基づく規格であり、前記外部機器映像受信手段（７４、７５）および前記操作情報送出手段（７４、７５）は、ＨＤＭＩインターフェースを含む。
【０１１３】
（７）テレビ放送を受信するチューナ（４９、５４、５６）と、前記チューナで受信されたテレビ放送映像および／または前記外部機器（２８、３３）から受信した前記映像情報と前記外部機器の操作に利用する操作パネル映像（１４２）を同時に表示する表示部（１４）を更に具備する。
【０１１４】
（８）この発明に係る機器制御方法では、外部機器（例えばＨＤＭＩ−ＣＥＣ対応のＨＤＤレコーダ）の動作状況（ＨＤＤ再生中など）あるいは操作状況（前スキップなどの操作ガイド）に対応する状況映像（１４４、１４６）を含む映像情報（ビデオ映像の一部になっている）を外部機器から受信し（ＳＴ１０）、
受信した前記映像情報が表示される表示領域（１４０）うち前記状況映像（１４４、１４６）が存在し得る（存在することが予想される）特定映像領域（例えば表示領域の上下１０〜３０％）を避けた領域に、前記外部機器の操作に利用する操作パネル映像（１４２）を配置し（ＳＴ２０）、
前記操作パネル映像（１４２）を用いた機器操作（ユーザによるリモートコントローラ操作等）を、所定の規格（ＨＤＭＩ−ＣＥＣ）に基づく操作制御情報（スキップ等）として、前記外部機器（ＨＤＤレコーダ）に送出する（ＳＴ３０）ようにしている。
【０１１５】
この発明の実施により、ソース機器（外部機器）用操作パネル映像を、ソース機器側から映像入力されるグラフィック表示と重ならないように表示することができる。また、ソース機器側から映像入力されるグラフィック表示と重ならない範囲で、操作パネル映像のサイズを任意に増減できる。
【０１１６】
なお、この発明は前述した実施の形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【０１１７】
【図１】この発明の一実施形態に係る映像装置（シンク機器となるデジタルＴＶ）と外部機器（ソース機器となるＨＤＤレコーダなど）の接続例を示すブロック図。
【図２】映像装置の内部構成例を示すブロック図。
【図３】映像装置および外部機器を操作するリモートコントローラの一例を説明する図。
【図４】映像装置（シンク機器となるデジタルＴＶ）における外部機器の判定処理の一例を説明するフローチャート図。
【図５】映像装置の映像表示部におけるＨＤＭＩ入力一覧情報の表示例を示す図。
【図６】映像装置の映像表示部における操作パネル映像の表示例を示す図。
【図７】外部機器が自社製品（レコーダ）の場合において、映像表示部に表示される操作パネル映像とそれに関連するメニューの表示例を示す図。
【図８】外部機器が自社製品（ＰＣ、デジタルカメラ）または他社製品（プレーヤ）の場合において、映像表示部に表示される操作パネル映像とそれに関連するメニューの表示例を示す図。
【図９】ソース機器（ＨＤＭＩ−ＣＥＣ対応レコーダなどの外部機器）からのビデオ映像および状況映像（操作ガイド）がシンク機器（デジタルＴＶ）の表示領域に表示され、この表示領域のうち状況映像（操作ガイド）を避けた位置に操作パネル映像がＯＳＤ表示される例を説明する図。
【図１０】シンク機器（デジタルＴＶ）の表示領域における操作パネル映像およびこの操作パネル映像に関連する映像表示の例を説明する図。
【図１１】ソース機器からのビデオ映像および状況映像がシンク機器の表示領域に表示され、この表示領域のうち状況映像を避けた位置に操作パネル映像が表示され、この操作パネル映像を用いてソース機器の操作制御を行う手順の一例を説明するフローチャート図。
【図１２】表示領域に操作パネル映像を表示する際に、状況映像を避けた位置に操作パネル映像を自動配置する手順の一例を説明するフローチャート図。
【符号の説明】
【０１１８】
１１…映像装置（デジタルＴＶ／情報通信端末）、１４…映像表示部、１４０…表示領域、１４２…操作パネル映像（ＯＳＤ）、１４４…動作状況映像（再生中などを示すアイコン）、１４６…操作状況映像（操作ガイドなどのメニューバー）、１５…スピーカ、１６…操作部、１７…リモートコントローラ、１８…リモートコントローラ受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．ＬＩＮＫ端子、２６…ＨＤＤレコーダ、２７…ＡＶアンプ（ＨＤＭＩ−ＣＥＣ対応機器）、２８…ＤＶＤ／ＨＤＤレコーダ（ＨＤＭＩ−ＣＥＣ対応機器）、２９…ＤＶＤプレーヤ（ＨＤＭＩ−ＣＥＣ対応機器）、３０…ハブ、３１…ＡＶアンプ（ＨＤＭＩ−ＣＥＣ対応機器）、３２…ＰＣ（ＨＤＭＩ−ＣＥＣ対応機器）、３３…ＤＶＤ／ＨＤＤレコーダ（ＨＤＭＩ−ＣＥＣ対応機器）、３４…ＤＶＤプレーヤ（ＨＤＭＩ−ＣＥＣ対応機器）、３５…ブロードバンドルータ、３６…ネットワーク、３７…ＰＣ、３８…携帯電話、３９…ハブ、４０…携帯電話、４１…デジタルカメラ、４２…カードリーダ／ライタ、４３…ＨＤＤレコーダ、４４…キーボード、４５…ＡＶ−ＨＤＤレコーダ、４６…Ｄ−ＶＨＳレコーダ、４７…アンテナ、４８…入力端子、４９…チューナ、５０…ＰＳＫ復調器、５１…信号処理部、５２…アンテナ、５３…入力端子、５４…チューナ、５５…ＯＦＤＭ復調器、５６…チューナ、５７…アナログ復調器、５８…グラフィック処理部、５９…音声処理部、６０ａ〜６０ｄ…入力端子、６１…ＯＳＤ信号生成部、６２…映像処理部、６３…出力端子、６４…出力端子、６５…制御部、６６…ＲＯＭ（ファームウエアプログラム等）、６７…ワークＲＡＭ、６８…不揮発性メモリ、６８１…ＨＤＭＩ入力一覧情報テーブル、６８２…ＨＤＭＩ入力一覧情報／ＨＤＭＩ連動機器リスト、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．ＬＩＮＫ Ｉ／Ｆ。
【図１】
2010057023.tif 000003
【図２】
2010057023.tif 000004
【図３】
2010057023.tif 000005
【図４】
2010057023.tif 000006
【図５】
2010057023.tif 000007
【図６】
2010057023.tif 000008
【図７】
2010057023.tif 000009
【図８】
2010057023.tif 000010
【図９】
2010057023.tif 000011
【図１０】
2010057023.tif 000012
【図１１】
2010057023.tif 000013
【図１２】
2010057023.tif 000014